(57)【要約】【課題】可動部材を設けることなく、画像検出部への現像剤の付着を抑制することができる画像形成装置を提供する。【解決手段】画像形成装置１は、バックアップロール３１及び従動ロール３２等により循環移動可能に支持され、トナー画像２００を保持する中間転写ベルト３３と、トナーを帯電して中間転写ベルト３３上にトナー画像２００を形成する画像形成部２０と、中間転写ベルト３３の循環移動方向において画像形成部２０よりも下流側に配置された従動ロール３２に対向する位置に中間転写ベルト３３を介して設けられ、中間転写ベルト３３により保持されたトナー画像２００の濃度を検出する画像検出部５０と、画像検出部５０の近傍に設けられ、遊離トナー２０１を集塵する集塵部材６０と、中間転写ベルト３３から遊離した遊離トナー２０１を集塵部材６０側に引き付ける電界を発生させる電圧印加部３１０とを備える。【選択図】図２
2010197722.tif 000002
【特許請求の範囲】
【請求項１】
複数の回転体により循環移動可能に支持され、画像を保持する像保持体と、
現像剤を帯電して前記像保持体上に前記画像を形成する画像形成部と、
前記複数の回転体のうち前記像保持体の循環移動方向において、前記画像形成部よりも下流側に配置された回転体に対向する位置であって、前記像保持体を介して設けられ、前記像保持体により保持された前記画像を検出する画像検出部と、
前記画像検出部の近傍に設けられ、前記現像剤を集塵する集塵部材と、
前記像保持体から遊離した前記現像剤を前記集塵部材側に引き付ける電界を発生させる電界発生部とを備えた画像形成装置。
【請求項２】
前記電界発生部は、前記複数の回転体のうち、前記画像形成部よりも下流側に配置された回転体、又は前記像保持体により保持された前記画像を記録媒体に転写する位置に配置された回転体と、前記集塵部材とを有し、前記回転体及び前記集塵部材を一対の電極として前記電界を発生させる請求項１に記載の画像形成装置。
【請求項３】
前記電界発生部は、前記複数の回転体のうち、前記画像形成部よりも下流側に配置された回転体、又は前記像保持体により保持された前記画像を記録媒体に転写する位置に配置された回転体に対して前記現像剤と同極の電圧を印加するとともに、前記集塵部材を接地することにより前記電界を発生させる請求項２に記載の画像形成装置。
【請求項４】
前記集塵部材は、前記像保持体の循環移動方向の上流側よりも下流側において前記像保持体との間の距離が短くなるように配置された請求項１に記載の画像形成装置。
【請求項５】
前記集塵部材は、前記像保持体と対向する面と反対側の面に、前記像保持体により保持された前記画像を記録媒体に転写する位置へ前記記録媒体を案内する案内部を有する請求項１に記載の画像形成装置。
【発明の詳細な説明】
【技術分野】
【０００１】
本発明は、画像形成装置に関する。
【背景技術】
【０００２】
現像剤を使用して形成された画像の濃度を検出し、その検出結果に基づいて帯電、露光、現像等の画像形成条件を制御する画像形成装置が知られている（例えば、特許文献１参照。）。
【０００３】
この画像形成装置は、画像形成部により形成された画像制御用マークを検知対象物とする検出手段と、この検出手段と検知対象物との間の光路上に設けられ、検出不要時には検出手段の検知面を覆って飛散する現像剤を阻止し、検出時には検出手段の検知面を開放する開口部を備えたシャッタ板及びこのシャッタ板を往復駆動する駆動源からなる開閉動作機構等を備える。
【先行技術文献】
【特許文献】
【０００４】
【特許文献１】特開２００１−１００５９７号公報
【発明の概要】
【発明が解決しようとする課題】
【０００５】
本発明の目的は、可動部材を設けることなく、画像検出部への現像剤の付着を抑制することができる画像形成装置を提供することにある。
【課題を解決するための手段】
【０００６】
本発明の一態様は、上記目的を達成するため、以下の画像形成装置を提供する。
【０００７】
［１］複数の回転体により循環移動可能に支持され、画像を保持する像保持体と、現像剤を帯電して前記像保持体上に前記画像を形成する画像形成部と、前記複数の回転体のうち前記像保持体の循環移動方向において、前記画像形成部よりも下流側に配置された回転体に対向する位置であって、前記像保持体を介して設けられ、前記像保持体により保持された前記画像を検出する画像検出部と、前記画像検出部の近傍に設けられ、前記現像剤を集塵する集塵部材と、前記像保持体から遊離した前記現像剤を前記集塵部材側に引き付ける電界を発生させる電界発生部とを備えた画像形成装置。
【０００８】
［２］前記電界発生部は、前記複数の回転体のうち、前記画像形成部よりも下流側に配置された回転体、又は前記像保持体により保持された前記画像を記録媒体に転写する位置に配置された回転体と、前記集塵部材とを有し、前記回転体及び前記集塵部材を一対の電極として前記電界を発生させる前記［１］に記載の画像形成装置。
【０００９】
［３］前記電界発生部は、前記複数の回転体のうち、前記画像形成部よりも下流側に配置された回転体、又は前記像保持体により保持された前記画像を記録媒体に転写する位置に配置された回転体に対して前記現像剤と同極の電圧を印加するとともに、前記集塵部材を接地することにより前記電界を発生させる前記［２］に記載の画像形成装置。
【００１０】
［４］前記集塵部材は、前記像保持体の循環移動方向の上流側よりも下流側において前記像保持体との間の距離が短くなるように配置された前記［１］に記載の画像形成装置。
【００１１】
［５］前記集塵部材は、前記像保持体と対向する面と反対側の面に、前記像保持体により保持された前記画像を記録媒体に転写する位置へ前記記録媒体を案内する案内部を有する前記［１］に記載の画像形成装置。
【発明の効果】
【００１２】
請求項１に係る発明によれば、可動部材を設けることなく、画像検出部への現像剤の付着を抑制することができる。
【００１３】
請求項２に係る発明によれば、電極となる部材を別途設ける必要がなく、部品点数の増加を抑制することができる。
【００１４】
請求項３に係る発明によれば、電界発生手段を簡素な構成で実現することができる。
【００１５】
請求項４に係る発明によれば、集塵部材の下流側に現像剤を送り込むことができる。
【００１６】
請求項５に係る発明によれば、集塵部材が記録媒体を案内する部材を兼ねることができる。
【図面の簡単な説明】
【００１７】
【図１】図１は、本発明の第１の実施の形態に係る画像形成装置の構成例を示す概略図である。
【図２】図２は、本発明の第１の実施の形態に係る画像検出部及びトナー集塵部材周辺の構成例を示す断面図である。
【図３】図３は、本発明の第２の実施の形態に係る画像形成装置の構成例を示す概略図である。
【図４】図４は、本発明の第２の実施の形態に係る画像検出部及びトナー集塵部材周辺の構成例を示す断面図である。
【発明を実施するための形態】
【００１８】
［第１の実施の形態］
図１は、本発明の第１の実施の形態に係る画像形成装置の構成例を示す概略図である。この画像形成装置１は、例えば、デジタルカラープリンタであり、パーソナルコンピュータ等の上位装置から送信された画像データに画像処理を行う制御部１０を有する。そして、画像形成装置１は、その画像処理によりイエロー（Ｙ）、マゼンタ（Ｍ）、シアン（Ｃ）、ブラック（Ｋ）の各色の画像データに変換した後、各色の画像データに基づくトナー画像を記録媒体としての用紙Ｐに形成するように構成されている。なお、画像形成装置１は、複写機やファクシミリ、又は複写機、プリンタ、スキャナ、ファクシミリ等の複数の機能を有する複合機であってもよい。
【００１９】
画像形成装置１は、略箱型状の筐体１１を有し、この筐体１１内の下部に、記録媒体としての用紙Ｐを収容する給紙装置１２を着脱可能に配設し、筐体１１の上部に、記録済みの用紙Ｐが排出される用紙排出部１３を配設し、給紙装置１２から用紙排出部１３に至るように用紙搬送路１４を形成している。
【００２０】
用紙搬送路１４上には、給紙装置１２から用紙Ｐを用紙搬送路１４に１枚ずつ取り込むピックアップロール１４ａと、取り出した用紙を重走しないように用紙の裏面に搬送方向と逆方向の力を与えるリタードロール１４ｂと、用紙Ｐのスキューを補正する補正ロール１４ｃと、加熱及び加圧により用紙Ｐにトナー画像を定着する定着器１５とが配設されている。
【００２１】
また、画像形成装置１は、筐体１１内の中央部に、上記制御部１０と、現像剤としてのトナーを帯電してトナー画像を形成する画像形成部２０を有する。
【００２２】
制御部１０は、例えば、ＣＰＵ及びメモリ等により構成されており、上記の画像処理を行う他に、画像形成装置１の各部を制御するとともに、後述する画像検出部５０により検出されたトナー画像の濃度情報に基づいて、画像形成部２０による画像形成条件を補正する。なお、制御部１０は、上位装置にローカルエリアネットワーク（ＬＡＮ）等のネットワークを介して接続されていてもよいし、ＵＳＢやＲＳ２３２Ｃ等のインターフェース規格に則って接続されていてもよい。
【００２３】
画像形成部２０は、図中の矢印方向に循環移動可能な像保持体としての中間転写ベルト３３と、中間転写ベルト３３の外側に一定の間隔を有して着脱可能に配置され、図中の矢印方向に回転しながら、ＹＭＣＫの各色用のトナー画像が形成される感光体２２を有する画像形成ユニット２１Ｙ，２１Ｍ，２１Ｃ，２１Ｋと、中間転写ベルト３３の内側に配置され、感光体２２の表面に形成されたトナー画像を中間転写ベルト３３に転写する一次転写ロール２６Ｙ，２６Ｍ，２６Ｃ，２６Ｋとを備える。
【００２４】
中間転写ベルト３３は、表面抵抗率が、例えば、８〜１４ｌｏｇΩ／□に調整された導電性であり、複数の回転体により張架されている。具体的には、中間転写ベルト３３は、図示しないモータ等の駆動源により中間転写ベルト３３を循環駆動させる駆動ロール３０と、トナーが像を用紙Ｐに転写する位置に配置され、中間転写ベルト３３を支持するバックアップロール３１と、中間転写ベルト３３の循環移動方向において画像形成部２０よりも下流側に配置され、中間転写ベルト３３の循環駆動に従って回動する従動ロール３２とにより張架されている。
【００２５】
画像形成ユニット２１Ｙ，２１Ｍ，２１Ｃ，２１Ｋは、それぞれ同様に構成されており、各画像形成ユニット２１Ｙ，２１Ｍ，２１Ｃ，２１Ｋは、上記感光体２２と、感光体２２の表面を一様にマイナスに帯電する帯電器２３と、感光体２２の表面に露光器２７によって形成された静電潜像をマイナスに帯電したトナーで現像することにより感光体２２の表面にトナー画像を形成する現像器２４と、感光体２２の表面に残留しているトナーを回収する感光体クリーニング部２５とを備える。
【００２６】
現像器２４は、トナーを収容するハウジング２４ａを有し、このハウジング２４ａ内に、感光体２２にトナーを供給して感光体２２上の静電潜像をトナーで現像する現像ロール２４ｂと、現像ロール２４ｂにトナーを供給する供給オーガー２４ｃと、トナーを攪拌するとともに供給オーガー２４ｃにトナーを供給する攪拌オーガー２４ｄとを配設している。現像器２４は、トナーボックス３５Ｙ，３５Ｍ，３５Ｃ，３５Ｋから各色のトナーが供給されるようになっている。
【００２７】
一次転写ロール２６Ｙ，２６Ｍ，２６Ｃ，２６Ｋは、マイナスに帯電したトナー画像を中間転写ベルト３３に転写しやすいように、トナーと異極の電圧、すなわち、プラス電圧が印加されている。
【００２８】
露光器２７は、ＹＭＣＫ各色の画像データで変調されたレーザ光を出射する図示しない４つの半導体レーザと、各半導体レーザから出射されたレーザ光を分岐するポリゴンミラー２７ａと、ポリゴンミラー２７ａによって分岐されたレーザ光を反射して感光体２２に照射して感光体２２の表面に静電潜像を形成する複数のミラー２７ｂとを備える。露光器２７は、トナー等で汚れないようにフレーム２７ｃによって密閉されている。フレーム２７ｃの上部は透明ガラスにより構成されている。
【００２９】
また、中間転写ベルト３３の周囲には、中間転写ベルト３３を挟んでバックアップロール３１の反対側に配置され、中間転写ベルト３３上のトナー画像を用紙Ｐに二次転写する二次転写ロール３４と、中間転写ベルト３３を挟んで駆動ロール３０の反対側に配置され、駆動ロール３０側へ押圧して、中間転写ベルト３３上に残留しているトナーを掻き取って回収するベルトクリーニング部４０と、従動ロール３２の反対側に配置された画像検出部５０と、画像検出部５０に隣接して配置されたトナー集塵部材６０とが設けられている。
【００３０】
図２は、本発明の第１の実施の形態に係る画像検出部及びトナー集塵部材周辺の構成例を示す断面図である。
【００３１】
画像検出部５０は、中間転写ベルト３３に接触することなく、従動ロール３２に対向する位置に中間転写ベルト３３を介して設けられ、従動ロール３２の中心よりも距離Ｄ１だけ上流側に離れた位置において、中間転写ベルト３３の表面及び中間転写ベルト３３に保持されたトナー画像２００等の検出対象物の濃度を検出する。
【００３２】
すなわち、画像検出部５０は、検出対象物に光を照射する発光素子と、検出対象物からの反射光を受光する受光素子とを備え、受光素子により受光された反射光の強度に応じて濃度を検出し、その濃度を示す濃度情報を制御部１０に出力する。また、画像検出部５０は、上記濃度以外にも、中間転写ベルトに保持されたトナー画像２００の位置を検出して、検出されたトナー画像２００の位置に基づいて、各色の色ずれ量を算出し、補正するものである。発光素子は、例えば、発光ダイオード、レーザーダイオード等により構成されており、受光素子は、例えば、フォトトランジスタ、ダイオードフォトダイオード等により構成されている。
【００３３】
なお、画像検出部５０は、中間転写ベルト３３のばたつきにより濃度の検出精度が低下しないように従動ロール３２に中間転写ベルト３３が接触する直前に配置されるのが好ましく、例えば、従動ロール３２の直径が１８ｍｍの場合には、距離Ｄ１は２ｍｍに設定されている。
【００３４】
バックアップロール３１には、トナーと同極の電圧、すなわち、マイナス電圧を印加する電界発生部としての電圧印加部３１０が接続されている。なお、電圧印加部３１０は、従動ロール３２に接続されていてもよい。
【００３５】
トナー集塵部材６０は、画像検出部５０の近傍に配置されており、従動ロール３２の下方からバックアップロール３１の下方まで中間転写ベルト３３を覆うように形成されている。
【００３６】
ここで、「近傍」とは、中間転写ベルト３３から遊離した遊離トナー２０１が、バックアップロール３１とトナー集塵部材６０との間で発生した電界によりトナー集塵部材６０に引き寄せられて画像検出部５０へ堆積しないように構成される位置である。なお、このような位置にトナー集塵部材６０が配置されていればその位置関係は適宜選択できるが、好ましい態様としては、中間転写ベルト３３と画像検出部５０との間の距離よりもトナー集塵部材６０の画像検出部５０寄りの端部と中間転写ベルト３３との間の距離の方が小さくなるように配置されるものである。また、トナー集塵部材６０の画像検出部５０寄りの端部の位置が、バックアップロール３１の中心よりも距離Ｄ４だけ下流側に離れた位置（バックアップロール３１の半径よりも小さい）に配置されるのが好ましい。
【００３７】
トナー集塵部材６０は、例えば、筐体１１等を介して基準電位に接地（グランド）されており、電圧印加部３１０によりマイナス電圧が印加されたバックアップロール３１とトナー集塵部材６０とを一対の電極として、バックアップロール３１とトナー集塵部材６０との間で電界が発生する。そして、画像検出部５０の近傍で中間転写ベルト３３から遊離した遊離トナー２０１は、マイナスに帯電されていることから、この電界は、遊離トナー２０１をトナー集塵部材６０の内側面６０ａに引き付ける方向の引力を遊離トナー２０１に及ぼす。従って、遊離トナー２０１は、画像検出部５０上に落下することなく、トナー集塵部材６０の内側面６０ａに引き付けられて付着する。なお、遊離トナー２０１には、中間転写ベルト３３が従動ロール３２に沿って湾曲するときに飛散するものの他に、例えば、一次転写や二次転写する際に飛散して筐体１１内を浮遊するものも含まれる。
【００３８】
トナー集塵部材６０の内側面６０ａと中間転写ベルト３３との間の距離は、中間転写ベルト３３の循環移動方向の上流側よりも下流側において短くなるようにトナー集塵部材６０が配置されている。図２の例では、上流側における距離Ｄ２よりも下流側の距離Ｄ３が短くなっている。これにより、中間転写ベルト３３が移動したことにより発生した風が、下流側に流れる程その風速が増すこととなり、遊離トナー２０１がトナー集塵部材６０の下流側に付着しやすくなる。
【００３９】
トナー集塵部材６０の外側面６０ｂ、すなわち、中間転写ベルト３３と対向する面と反対側の面は、用紙搬送路１４に沿って用紙Ｐを二字転写する位置に案内する案内部として機能するような形状を有している。ここで、トナー集塵部材６０が金属で形成されたものである場合には、用紙Ｐと案内部や搬送ローラと擦れることによって発生する紙粉に対して、トナー集塵部材６０から遠ざかる方向の斥力を及ぼす。他方、トナー集塵部材６０の材料によっては、トナー集塵部材６０と中間転写ベルト３３との間で発生した電界によって、案内部への紙粉の保持もしくは、中間転写ベルト３３への保持により、画像検出部への落下を防止することができる。
【００４０】
なお、トナー集塵部材６０は、金属や導電性プラスチック等の導電性材料を用いてもよいし、内側面６０ａに導電性材料を配置し、その他の部分に非導電性材料を配置するようにして、導電性材料及び非導電性材料を組み合わせて用いてもよい。
【００４１】
また、トナー集塵部材６０とバックアップロール３１との間に配置された従動ロール３２は、電気的にフロート状態にしてもよい。ここで、「フロート状態」とは、特定の電位を有する電気回路に接続されておらず、接地もされていないことをいう。これにより、バックアップロール３１に印加された電圧により、従動ロール３２付近の中間転写ベルト３３とトナー集塵部材６０との間に電界を発生させることができ、遊離トナー２０１が安定的にトナー集塵部材６０に引き付けられる。
【００４２】
（画像形成装置の動作）
次に、画像形成装置の動作の一例を説明する。ここでは、ユーザが上位装置を操作して、画像形成装置１に処理対象の画像データを送信した場合について説明する。
【００４３】
画像形成装置１の制御部１０は、上位装置から画像データを受信すると、画像形成部２０等を制御して、その画像データに基づく画像形成を行う。
【００４４】
具体的には、画像形成部２０は、各画像形成ユニット２１Ｙ，２１Ｍ，２１Ｃ，２１Ｋの感光体２２を回転させ、感光体２２を帯電器２３によりマイナスに帯電した後、露光器２７により画像データに基づく各色のレーザ光を照射して、感光体２２の表面に静電潜像を形成する。
【００４５】
次に、各感光体２２の静電潜像は、対応する各色の現像器２４によってマイナスに帯電したトナー画像にそれぞれ現像され、駆動ロール３０により循環移動駆動された中間転写ベルト３３上に一次転写ロール２６Ｙ，２６Ｍ，２６Ｃ，２６Ｋによって順次転写される。
【００４６】
次に、中間転写ベルト３３がさらに循環移動駆動されて、中間転写ベルト３３上のトナー画像２００が画像検出部５０の配置された位置に到達すると、画像検出部５０の発光素子は、トナー画像２００に対して光を照射し、そのトナー画像２００から反射された反射光を受光素子により受光する。受光素子により受光された反射光の強度に応じた濃度情報は、制御部１０に出力され、制御部１０は、その濃度情報に基づいて画像形成条件を補正する。ここでは、トナー画像２００は、画像データに基づいて形成されたものであるが、画像データに基づいてトナー画像２００を形成する前に、濃度検出用のトナーパターン（パッチ）を形成し、このトナーパターンを用いて画像形成条件を補正するようにしてもよい。
【００４７】
そして、中間転写ベルト３３が、従動ロール３２に沿って湾曲するときに遊離トナー２０１が飛散すると、その遊離トナー２０１は、マイナスに帯電されていることから、バックアップロール３１とトナー集塵部材６０との間で発生した電界の影響を受けて、画像検出部５０上に落下することなく、トナー集塵部材６０の内側面６０ａに付着する。
【００４８】
また、制御部１０は、上記の画像形成部２０の動作と並行して、給紙装置１２からピックアップロール１４ａにより用紙Ｐを１枚ずつ搬送し、補正ロール１４ｂによりスキューを補正した後、搬送ロール１４ｃにより用紙搬送路１４に沿ってその用紙Ｐを搬送する。
【００４９】
そして、その用紙Ｐは、トナー集塵部材６０の外側面６０ｂにより用紙搬送路１４に沿うように案内されて、バックアップロール３１及び二次転写ロール３４が配置された位置に到達すると、中間転写ベルト３３上のトナー画像２００が二次転写ロール３４によりその用紙Ｐに転写される。そして、トナー画像２００が転写された用紙Ｐは、定着器１５により加熱及び加圧されることによりトナー画像２００が定着されて、用紙排出部１３に排出される。
【００５０】
［第２の実施の形態］
図３は、本発明の第２の実施の形態に係る画像形成装置の構成例を示す概略図である。第１の実施の形態に係る画像形成装置１は、駆動ロール３０、バックアップロール３１及び従動ロール３２からなる３つの回転体により中間転写ベルト３３が張架されていた。これに対し、本実施の形態に係る画像形成装置１は、駆動ロール３０及びバックアップロール３１からなる２つの回転体により中間転写ベルト３３が張架されている。なお、その他の構成は、第１の実施の形態と同様であるため詳細な説明を省略する。
【００５１】
図４は、本発明の第２の実施の形態に係る画像検出部及びトナー集塵部材周辺の構成例を示す断面図である。
【００５２】
画像検出部５０は、中間転写ベルト３３に接触することなくバックアップロール３１の下方に配置されており、バックアップロール３１の中心から距離Ｄ１だけ（バックアップロール３１の半径よりも小さい）上流側に離れた位置において検出対象物の濃度を検出する。
【００５３】
バックアップロール３１には、第１の実施の形態と同様に、マイナス電圧を印加する電圧印加部３１０が接続されている。
【００５４】
トナー集塵部材６０は、画像検出部５０の近傍に配置されており、バックアップロール３１の下方からバックアップロール３１の側方まで中間転写ベルト３３を円弧上に覆うように形成されている。
【００５５】
また、トナー集塵部材６０は、基準電位に接地されており、電圧印加部３１０によりマイナス電圧が印加されたバックアップロール３１との間で電界を発生し、内側面６０ａに遊離トナー２０１を集塵する。さらに、トナー集塵部材６０の内側面６０ａと中間転写ベルト３３との距離は、中間転写ベルト３３の循環移動方向の下流側に行く程短くなっており、上流側の距離Ｄ２よりも下流側の距離Ｄ３の方が短くなっている。
【００５６】
トナー集塵部材６０の外側面６０ｂは、第１の実施の形態と同様に、用紙搬送路１４に用紙Ｐを案内する用紙ガイドとして機能するような形状を有している。
【００５７】
上記構成において、中間転写ベルト３３が循環移動駆動されて、バックアップロール３１に沿って湾曲するときに遊離トナー２０１が飛散すると、その遊離トナー２０１は、マイナスに帯電されていることから、バックアップロール３１とトナー集塵部材６０との間で発生した電界の影響を受けて、画像検出部５０上に落下することなく、トナー集塵部材６０の内側面６０ａに引き寄せられて付着する。
【００５８】
［他の実施の形態］
なお、本発明は、上記各実施の形態に限定されず、本発明の趣旨を逸脱しない範囲内において種々に変形実施が可能である。例えば、上記各実施の形態に係る画像形成装置は、カラープリンタであるが、画像形成装置は、ブラック（Ｋ）の画像形成ユニットのみを有するモノクロプリンタに適用してもよい、
【００５９】
また、上記各実施の形態では、バックアップロール３１とトナー集塵部材６０とを一対の電極として用いたが、一対の電極は、トナー集塵部材６０側に遊離トナー２０１を引き付ける電界を発生させるものであればよく、例えば、電極となる部材を別途設けてもよい。
【００６０】
また、上記各実施の形態では、バックアップロール３１にマイナス電圧を印加し、トナー集塵部材６０を接地したが、トナー集塵部材６０側に遊離トナー２０１を引き付ける電界を発生させる電位差が生じていればよく、例えば、バックアップロール３１を接地し、トナー集塵部材６０にプラス電圧を印加するようにしてもよい。
【符号の説明】
【００６１】
１…画像形成装置、１０…制御部、１１…筐体、１２…給紙装置、１３…用紙排出部、１４…用紙搬送路、１４ａ…ピックアップロール、１４ｂ…補正ロール、１４ｃ…搬送ロール、１５…定着器、２０…画像形成部、２１Ｙ，２１Ｍ，２１Ｃ，２１Ｋ…画像形成ユニット、２２…感光体、２３…帯電器、２４…現像器、２４ａ…ハウジング、２４ｂ…現像ロール、２４ｃ…供給オーガー、２４ｄ…攪拌オーガー、２５…感光体クリーニング部、２６Ｙ，２６Ｍ，２６Ｃ，２６Ｋ…一次転写ロール、２７…露光器、２７ａ…ポリゴンミラー、２７ｂ…ミラー、２７ｃ…フレーム、３０…駆動ロール、３１…バックアップロール、３２…従動ロール、３３…中間転写ベルト、３４…二次転写ロール、３５Ｙ，３５Ｍ，３５Ｃ，３５Ｋ…トナーボックス、４０…ベルトクリーニング部、５０…画像検出部、６０…トナー集塵部材、６０ａ…内側面、６０ｂ…外側面、２００…トナー画像、２０１…遊離トナー、３１０…電圧印加部
【図１】
2010197722.tif 000003
【図２】
2010197722.tif 000004
【図３】
2010197722.tif 000005
【図４】
2010197722.tif 000006